(57)【特許請求の範囲】
【請求項１】
パネル取付品本体と、このパネル取付品本体より突出し、パネルの取付孔を貫通する断面トラック形状のスリーブと、このスリーブの少なくとも円弧状の両端部の外壁面に所定間隔で形成された多数個の溝と、前記スリーブを内部に挿入することができ、かつ時計回転方向には回転することなく、反時計回転方向の所定角度の回転により、前記多数個の溝の任意の部位に仮固定できる内壁面に一対の溝係合片を有する下ナットと、この下ナットの上面に位置させることができるワッシャと、前記パネルの取付孔より突出したスリーブを内部に挿入することができ、かつ時計回転方向にのみ回転する一対の溝係合片を有し、外周壁にねじ部が形成された内側上ナット、この内側上ナットのねじ部と螺合するねじ部が内壁面に形成された外側上ナットとからなる上ナットとを用いたことを特徴とするパネル取付品。
【請求項２】
スリーブの外壁面には所定間隔で形成された多数個の溝が形成されるとともに、ワッシャにはスリーブの直線状の両側部の溝と係合する係合片が形成されていることを特徴とする請求項１記載のパネル取付品。
【請求項３】
下ナットはスリーブを内部に挿入することができ、かつ時計回転方向にのみ回転する一対の溝係合片を有し、外周壁にねじ部が形成された内側下ナットと、この内側下ナットのねじ部と螺合するねじ部が内壁面に形成された外側下ナットとで構成されていることを特徴とする請求項１記載のパネル取付品。
【発明の詳細な説明】
【技術分野】
【０００１】
本発明はパネルに取付けて使用される操作スイッチや操作釦等のパネル取付品に関する。
【背景技術】
【０００２】
従来、この種のパネル取付品はパネル取付品本体より突出した外周壁にねじ部が形成されたスリーブを設けたパネル取付品本体と、このパネル取付品本体のスリーブに螺合する下ナットと、この下ナットの上面に位置されるワッシャと、前記スリーブをパネルの取付孔に挿入した後、スリーブに螺合させて、螺締し、パネルを締付け固定する上ナットとで構成されている。
【０００３】
このため、下ナットと上ナットをスリーブのねじ部に螺合させなければならず、その取付けに時間と手数がかかるという欠点があった。
また、パネルに取付けるまではパネル取付品本体、下ナット、ワッシャ、上ナットが別々になっているため、紛失しやすいという欠点があった。
【先行技術文献】
【特許文献】
【０００４】
【特許文献１】特開２００４−１９３９９９
【発明の概要】
【発明が解決しようとする課題】
【０００５】
本発明は以上のような従来の欠点に鑑み、容易で、かつ短時間にパネルに取付けることができるとともに、部品の紛失リスクを効率よく阻止することができるパネル取付品を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明はパネル取付品本体と、このパネル取付品本体より突出し、パネルの取付孔を貫通する断面トラック形状のスリーブと、このスリーブの少なくとも円弧状の両端部の外壁面に所定間隔で形成された多数個の溝と、前記スリーブを内部に挿入することができ、かつ時計回転方向には回転することなく、反時計回転方向の所定角度の回転により、前記多数個の溝の任意の部位に仮固定できる内壁面に一対の溝係合片を有する下ナットと、この下ナットの上面に位置させることができるワッシャと、前記パネルの取付孔より突出したスリーブを内部に挿入することができ、かつ時計回転方向にのみ回転する一対の溝係合片を有し、外周壁にねじ部が形成された内側上ナット、この内側上ナットのねじ部と螺合するねじ部が内壁面に形成された外側上ナットとからなる上ナットとを用いてパネル取付品を構成している。
【発明の効果】
【０００９】
以上の説明から明らかなように、本発明にあっては次に列挙する効果が得られる。
（１）請求項１により、下ナットをスリーブの所定位置まで押し込み、反時計回転方向に回転することにより仮固定するとともに、同じように上ナットをスリーブの所定位置まで押し込み、回転させることにより、内側上ナットがスリーブの多数個の任意の位置と係合した後、外側上ナットがパネル方向に移動して、該パネルを締付け固定することができる。
したがって、上ナット、下ナットのスリーブへの取付けが従来のねじ式のものに比べ、操作が簡単で、短時間に行なうことができる。
（２）前記（１）によって、パネルに取付けるまでに下ナット、ワッシャ、上ナットをスリーブに仮取付けしておくと、各部品の紛失を効率よく阻止できる。
すなわち、スリーブからの取り外しや取付けも、短時間に容易に行なうことができるため、スリーブに仮取付けしても、取付け作業に悪影響を及ぼさないからである。
（３）請求項２も前記（１）、（２）と同様な効果が得られるとともに、スリーブの直線状の両側部の溝部にワッシャを係合させることができる。
したがって、スリーブにワッシャを係止させておくことができ、紛失を確実に阻止できる。
（４）請求項３も前記（１）、（２）と同様な効果が得られるとともに、パネルへの取付け時に、下ナットの仮固定位置より外側下ナットをパネル方向へ移動させて、位置調整可能にパネルに取付けることができる。
【図面の簡単な説明】
【００１０】
【図１】本発明を実施するための第１の形態の分解説明図。
【図２】本発明を実施するための第１の形態の取付け状態の断面図。
【図３】本発明を実施するための第１の形態のスリーブの説明図。
【図４】本発明を実施するための第１の形態の下ナットの平面図。
【図５】図４の５−５線に沿う断面図。
【図６】本発明を実施するための第１の形態のワッシャの平面図。
【図７】図６の７−７線に沿う断面図。
【図８】本発明を実施するための第１の形態の上ナットの平面図。
【図９】図８の９−９線に沿う断面図。
【図１０】本発明を実施するための第１の形態の上ナットの分解説明図。
【図１１】本発明を実施するための第１の形態の下ナットとワッシャを取付けた状態の説明図。
【図１２】本発明を実施するための第１の形態のパネルに上ナットで仮固定した状態の説明図。
【図１３】本発明を実施するための第１の形態のパネルを締付けて固定した状態の説明図。
【図１４】本発明を実施するための第２の形態の分解説明図。
【図１５】本発明を実施するための第２の形態の下ナットの説明図。
【図１６】本発明を実施するための第２の形態の下ナットの位置調整状態の説明図。
【図１７】本発明を実施するための第３の形態の分解説明図。
【図１８】本発明を実施するための第３の形態のスリーブの説明図。
【図１９】本発明を実施するための第３の形態のワッシャを下ナットに取付けた状態の説明図。
【発明を実施するための形態】
【００１１】
以下、図面に示す本発明を実施するための形態により、本発明を詳細に説明する。
【００１２】
図１ないし図１３に示す本発明を実施するための第１の形態において、１はパネル２に取付けられて使用される操作スイッチや操作釦等の本発明のパネル取付品で、このパネル取付品１は操作スイッチや操作釦等のパネル取付品本体３と、このパネル取付品本体３より突出し、パネル２の取付孔４を貫通する断面トラック形状で、外壁面に所定間隔で形成された多数個の溝５および、一方の円弧状の外壁面７ａの中央部に軸心方向に形成されたワッシャ係合溝６を有するスリーブ７と、このスリーブ７を内部に挿入することができ、かつ時計回転方向には回転することなく、反時計回転方向の所定角度、本実施の形態では３０度前後の回転により前記多数個の溝５の任意の部位に仮固定できる内壁面に一対の溝係合片８、８を有する下ナット９と、この下ナット９の上面に位置させることができる前記スリーブ７のワッシャ係合溝６と係合する係合片１０、前記下ナット９の一対の溝係合片８、８のほぼ中央部を係止する一対の係止片１１、１１および、該一対の係止片１１、１１に形成された、前記下ナット９の一対の溝係合片８、８の各々の下面と当接可能な係止用舌片１２、１２が形成されたワッシャ１３と、前記パネル２の取付孔４より突出したスリーブ７を内部に挿入することができ、かつ時計回転方向にのみ所定角度、本実施の形態では３０度前後回転する一対の溝形動片１４、１４を有し、外周壁にねじ部１５が形成された内側上ナット１６、この内側上ナット１６のねじ部１５と螺合するねじ部１７が内壁面に形成された外側上ナット１８とからなる上ナット１９とで構成されている。
【００１３】
前記下ナット９は図４および図５に示すように、一対の溝係止片８、８は偏心した状態で、回転側より反回転側が中央部方向へ突出する円弧状に形成され、該一対の溝係止片８、８が形成された部位の外壁面は平坦部２０、２０に形成され、前記スリーブ７が入り込む位置が判別できるように構成されている。
【００１４】
なお、前記上ナット１９も前記下ナット９の構成と同じ部分は同様な構成になっている。
【００１５】
上記構成のパネル取付品１は、パネル２に取付けるまではスリーブ７に下ナット９、ワッシャ１３、上ナット１９が仮に取付けられた状態にしておく。
【００１６】
このようなパネル取付品１をパネル２に取付ける場合、上ナット１９を回転して内側上ナット１６の一対の溝係止片１４、１４とスリーブ７の溝５との係合を解除し、上方へ持ち上げて取り外す。
【００１７】
しかる後、必要に応じて下ナット９のスリーブ７への取付け位置の仮固定位置を調整して仮固定する。
【００１８】
その際、ワッシャ１３の係止片１１、１１の内壁面に設けたクリック用凸部１１ａ、１１ａが、スリーブ７の略平坦部に設けられたクリック用凹部５ａ、５ａと係合することによりクリック感が得られるため、仮固定位置を容易に把握することができる。
次に、スリーブ７をパネル２の取付孔４に挿入し、該パネル２より突出したスリーブ７に上ナット１９を、該上ナット１９の下部がパネル２に当接させるように位置させ、外側上ナット１８を締め付け方向に回転させることにより、内側上ナット１６の一対の溝係合片１４、１４が溝５と係合して停止するとともに、外側上ナット１８はそのまま回転し、下部がパネル２に当接して、該パネル２を締付ける所まで回転することにより、取付けが完了する。    
【００１９】
このように、下ナット９で仮固定した後、上ナット１９で容易に締付固定することができるため、特に複数のパネル取付品１をパネル２に取付ける場合に、パネル２からの突出量取付高さを一定にするといった取付作業が容易となり、しかも短時間で行うことができる。
【００２０】
[発明を実施するための異なる形態]
次に、図１４ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１４ないし図１６に示す本発明を実施するための第２の形態において、前記本発明を実施するための第１の形態と主に異なる点は、スリーブ７を内部に挿入することができ、かつ時計回転方向にのみ所定角度、本実施の形態では３０度前後回転する一対の溝係合片８、８を有し、外周壁にねじ部１５が形成された内側下ナット２１、この内側下ナット２１のねじ部１５と螺合するねじ部１７が内壁面に形成された外側下ナット２２とからなる下ナット２３を用いた点で、このような下ナット２３を用いても、前記本発明を実施するための第１の形態と同様な作用効果が得られるとともに、下ナット２３の取付け位置の調整微調整を外側下ナット２２の回転によっても行うことができるため、照光付き押釦スイッチのように、取付高さの均一化を要求されるような場合であっても、容易に対応することができる。
【００２２】
図１７ないし図１９に示す本発明を実施するための第３の形態において、前記本発明を実施するための第１の形態と主に異なる点は、円弧状の両端部の外壁面にだけ所定間隔で形成された多数個の溝５を形成したスリーブ７Ａを用いた点で、このようなスリーブ７Ａを用いても、前記本発明を実施するための第１の形態と同様な作用効果が得られる。
【産業上の利用可能性】
【００２３】
本発明はパネルに取付けて使用される操作スイッチや操作釦等のパネル取付品を製造する産業で利用される。
【符号の説明】
【００２４】
１：パネル取付品、      ２：パネル、
３：パネル取付品本体、    ４：取付孔、
５：溝、                    ５ａ：クリック用凹部、      
６：ワッシャ係合溝、          ７：スリーブ、
８：溝係合片、                ９：下ナット、
１０：係合片、                １１：係止片、
１１ａ：クリック用凸部、      １２：係止用舌片、
１３：ワッシャ、      １４：溝係合片、
１５：ねじ部、      １６：内側上ナット、
１７：ねじ部、      １８：外側上ナット、
１９：上ナット、      ２０：平坦部、
２１：内側下ナット、    ２２：外側下ナット、
２３：下ナット。
【図１】
0005511521.tif 000002
【図２】
0005511521.tif 000003
【図３】
0005511521.tif 000004
【図４】
0005511521.tif 000005
【図５】
0005511521.tif 000006
【図６】
0005511521.tif 000007
【図７】
0005511521.tif 000008
【図８】
0005511521.tif 000009
【図９】
0005511521.tif 000010
【図１０】
0005511521.tif 000011
【図１１】
0005511521.tif 000012
【図１２】
0005511521.tif 000013
【図１３】
0005511521.tif 000014
【図１４】
0005511521.tif 000015
【図１５】
0005511521.tif 000016
【図１６】
0005511521.tif 000017
【図１７】
0005511521.tif 000018
【図１８】
0005511521.tif 000019
【図１９】
0005511521.tif 000020